(57)【特許請求の範囲】
【請求項１】
少なくともファクシミリ機能、プリント機能、及び複写機能を含む複数の機能を有するとともに、当該複数の機能を操作して実行するための操作部を備えた複合装置と、操作指示手段を備えた情報端末とが所定の通信回線を介して接続されて構成される複合機能システムにおいて、
前記複合装置における前記操作部は、キー機能としてプログラム設定される複数のプログラムキーのみを備え、
前記情報端末における前記操作指示手段は、前記複数のプログラムキーによる操作以外の操作で各種設定操作を行う必要のある操作キーと各種情報を表示するための表示部とを、前記操作部に対する当該複数のプログラムキーに割り付けるプログラムを設定して登録するための操作表示プログラムに基づいて操作表示画面として表示するとともに、当該操作表示画面上におけるキー操作によりシステム動作を指示できることを特徴とする複合機能システム。
【請求項２】
前記操作部は、前記複数のプログラムキーとして、実行指示を含むプログラムキーと実行指示を含まないプログラムキーとを有すると共に、当該実行指示を含まないプログラムキーの所定数のものが組み合わされて機能指示され、最後に当該実行指示を含むプログラムキーが操作されると、当該実行指示を含まないプログラムキーと当該実行指示を含むプログラムキーとを全て連携して組み合わせた機能の実行を開始できることを特徴とする請求項１記載の複合機能システム。
【請求項３】
前記情報端末は、前記複数のプログラムキーの機能の設定／解除を行い、前記操作部は、前記情報端末から前記設定／解除されたプログラムキーの機能がプログラムリストとして構築されて転送されてくると、当該プログラムリストに基づいて当該プログラムリストに設定されている機能が当該複数のプログラムキーに割り付けられることを特徴とする請求項１又は２記載の複合機能システム。
【請求項４】
前記複合装置は、前記プログラムキーに割り付ける機能がプログラムリストとして記録された記録媒体を読み取る読取手段を備え、前記操作部は、前記読取手段に前記記録媒体が挿入されると、当該読取手段により当該記録媒体から読み取られた前記プログラムリストに基づいて当該プログラムリストに設定されている機能が前記複数のプログラムキーに割り付けられることを特徴とする請求項１〜３の何れか１項に記載の複合機能システム。
【発明の詳細な説明】
【技術分野】
【０００１】
本発明は、ファクシミリ機能、プリント機能、及び複写機能を含む複数の機能を持つ複合装置に情報端末が接続されて構成される複合機能システムに関し、詳細には、複合装置の操作部の操作画面をなくし、ハードキーの数を極力削減し、使い勝手が良好で安価な複合機能システムに関する。
【背景技術】
【０００２】
従来、コピー機能、プリンタ機能、ファクシミリ機能を含む複数の機能を備えた複合装置（通信回線を介して情報装置に接続されて複合機能システムを成す）は、原稿の画像を読み取る読取部と、相手ファクシミリ装置との間でファクシミリ制御信号と画像データをファクシミリ通信するファクシミリ通信部と、受信した画像データや読取部で読み取った原稿の画像を記録紙に記録出力する記録部と、各種動作の指示操作を行う操作部と、を備え、１つの独立した機器として機能している。
【０００３】
ところが、近時、複合機能システムにおける複合装置は、その機能が高度化、増大化し、その機能を実現するために大きな操作画面やランプ及び多数のハードキー等を備えるようになってきている。
【０００４】
そして、従来、ユーザの各種操作内容を、インターフェース及び通信回線を介して端末装置の記憶手段に保存し、また、保存されている操作内容を受信することで、操作を実行するマルチファンクション装置が提案されている（特許文献１参照）。
【０００５】
したがって、この従来技術によると、操作内容記憶用のメモリやプログラム登録用の操作キーを複合機能システムにおける複合装置から省くことができる。
【０００６】
【特許文献１】特開平１０−１３５９９号公報
【発明の開示】
【発明が解決しようとする課題】
【０００７】
しかしながら、上記従来技術にあっては、操作内容記憶用のメモリやプログラム登録用の操作キーを削減することを目的としているが、複合機能システムにおける複合装置には、プログラム登録用の操作キーはそれほど多く設けられているものではなく、また、近年、メモリも安価になってきており、コスト削減に対して効果的ではない。
【０００８】
一方、近年の複合機能システムにおける複合装置の機能の高度化、増大化に伴う操作画面の大型化やランプ及びハードキー等の増大化は、複合装置本体の価格を高くし、操作パネルも雑多でデザイン性に乏しいものとしてきており、改良が要望されている。また、ユーザによっては、複合装置の備えている多くの機能のうち、実際に使用する機能が限定されており、ほとんど使用しない機能も多く存在する。
【０００９】
そこで、本発明は、複合装置の操作部の操作画面をなくし、ハードキーの数を極力削減し、使い勝手の良好な複合機能システムを提供することを目的としている。
【００１０】
具体的には、請求項１記載の発明は、少なくともファクシミリ機能、プリント機能、及び複写機能を含む複数の機能を有するとともに、当該複数の機能を操作して実行するための操作部を備えた複合装置と、操作指示手段を備えた情報端末とが所定の通信回線を介して接続されて構成される複合機能システムにおいて、複合装置における操作部は、キー機能としてプログラム設定される複数のプログラムキーのみを備え、情報端末における操作指示手段は、複数のプログラムキーによる操作以外の操作で各種設定操作を行う必要のある操作キーと各種情報を表示するための表示部とを、操作部に対する当該複数のプログラムキーに割り付けるプログラムを設定して登録するための操作表示プログラムに基づいて操作表示画面として表示するとともに、当該操作表示画面上におけるキー操作によりシステム動作を指示できることにより、操作部について、表示部、ハードキーというコストの高い部品を省いたものとすることができると共に、ユーザが頻繁に使用する機能のみを割り当てたプログラムキーのみを設けて簡単で良好な操作性を有したものとして、安価で利用性の良好な複合機能システムを提供することを目的としている。
【００１１】
請求項２記載の発明は、上記複合機能システムにおいて、操作部は、複数のプログラムキーとして、実行指示を含むプログラムキーと実行指示を含まないプログラムキーとを有すると共に、当該実行指示を含まないプログラムキーの所定数のものが組み合わされて機能指示され、最後に当該実行指示を含むプログラムキーが操作されると、当該実行指示を含まないプログラムキーと当該実行指示を含むプログラムキーとを全て連携して組み合わせた機能の実行を開始できることにより、ハードキーであるプログラムキーの数を極限まで削減しつつ、より多くの機能を実現し、操作部をより一層簡単で良好な操作性を有したものとして、安価でより一層利用性の良好な複合機能システムを提供することを目的としている。
【００１２】
請求項３記載の発明は、上記複合機能システムにおいて、情報端末は、複数のプログラムキーの機能の設定／解除を行い、操作部は、情報端末から設定／解除されたプログラムキーの機能がプログラムリストとして構築されて転送されてくると、当該プログラムリストに基づいて当該プログラムリストに設定されている機能が当該複数のプログラムキーに割り付けられることにより、プログラムリストに基づいて簡単かつ容易にプログラムキーの機能設定を行い、安価でより一層利用性の良好な複合機能システムを提供することを目的としている。
【００１３】
請求項４記載の発明は、上記何れか１つの複合機能システムにおいて、複合装置は、プログラムキーに割り付ける機能がプログラムリストとして記録された記録媒体を読み取る読取手段を備え、操作部は、読取手段に記録媒体が挿入されると、当該読取手段により当該記録媒体から読み取られたプログラムリストに基づいて当該プログラムリストに設定されている機能が複数のプログラムキーに割り付けられることにより、プログラムキーの機能設定をより一層簡単かつ容易に行い、安価でより一層利用性の良好な複合機能システムを提供することを目的としている。
【課題を解決するための手段】
【００１４】
請求項１記載の発明の複合機能システムは、少なくともファクシミリ機能、プリント機能、及び複写機能を含む複数の機能を有するとともに、当該複数の機能を操作して実行するための操作部を備えた複合装置と、操作指示手段を備えた情報端末とが所定の通信回線を介して接続されて構成される複合機能システムにおいて、前記複合装置における前記操作部は、キー機能としてプログラム設定される複数のプログラムキーのみを備え、前記情報端末における前記操作指示手段は、前記複数のプログラムキーによる操作以外の操作で各種設定操作を行う必要のある操作キーと各種情報を表示するための表示部とを、前記操作部に対する当該複数のプログラムキーに割り付けるプログラムを設定して登録するための操作表示プログラムに基づいて操作表示画面として表示するとともに、当該操作表示画面上におけるキー操作によりシステム動作を指示できることにより、上記目的を達成している。
【００１５】
この場合、例えば、請求項２に記載するように、前記操作部は、前記複数のプログラムキーとして、実行指示を含むプログラムキーと実行指示を含まないプログラムキーとを有すると共に、当該実行指示を含まないプログラムキーの所定数のものが組み合わされて機能指示され、最後に当該実行指示を含むプログラムキーが操作されると、当該実行指示を含まないプログラムキーと当該実行指示を含むプログラムキーとを全て連携して組み合わせた機能の実行を開始できるものであってもよい。
【００１６】
また、例えば、請求項３に記載するように、前記情報端末は、前記複数のプログラムキーの機能の設定／解除を行い、前記操作部は、前記情報端末から前記設定／解除されたプログラムキーの機能がプログラムリストとして構築されて転送されてくると、当該プログラムリストに基づいて当該プログラムリストに設定されている機能が当該複数のプログラムキーに割り付けられるものであってもよい。
【００１７】
さらに、例えば、請求項４に記載するように、前記複合装置は、前記プログラムキーに割り付ける機能がプログラムリストとして記録された記録媒体を読み取る読取手段を備え、前記操作部は、前記読取手段に前記記録媒体が挿入されると、当該読取手段により当該記録媒体から読み取られた前記プログラムリストに基づいて当該プログラムリストに設定されている機能が前記複数のプログラムキーに割り付けられるものであってもよい。
【発明の効果】
【００１８】
請求項１記載の発明の複合機能システムによれば、上記構成により、複合装置における操作部について、表示部、ハードキーというコストの高い部品を省いたものとすることができると共に、ユーザが頻繁に使用する機能のみを割り当てたプログラムキーのみを設けて簡単で良好な操作性を有したものとすることができ、安価に利用性を向上させることができる。
【００１９】
請求項２記載の発明の複合機能システムによれば、上記構成により、ハードキーであるプログラムキーの数を極限まで削減しつつ、より多くの機能を実現し、操作部をより一層簡単で良好な操作性を有したものとして、安価により一層利用性を向上させることができる。
【００２０】
請求項３記載の発明の複合機能システムによれば、上記構成により、プログラムリストに基づいて簡単かつ容易にプログラムキーの機能設定を行うことができ、安価により一層利用性を向上させることができる。
【００２１】
請求項４記載の発明の複合機能システムによれば、上記構成により、プログラムキーの機能設定をより一層簡単かつ容易に行うことができ、安価により一層利用性を向上させることができる。
【発明を実施するための最良の形態】
【００２２】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２３】
図１〜図４は、本発明の複合機能システムの一実施例を示す図であり、図１は、本発明の一実施例に係る複合機能システム１に備えられる複合装置のブロック構成図である。
【００２４】
図１において、複合機能システム１は、読取部２、符号化・復号化部３、システムメモリ４、操作部５、記録部６、システム制御部７、画情報メモリ（画像メモリ）８、通信制御部９、モデム１０、ＤＴＭＦ検出部１１及び情報端末Ｉ／Ｆ１２等を備えるとともに、これらの主要各部がバス１３に接続された複合装置と、この複合装置における情報端末Ｉ／Ｆ１２を用いて通信回線により接続された情報端末（図示せず）とを備えて構成されている。
【００２５】
システムメモリ４は、ＲＯＭ（Read Only Memory）、ＲＡＭ（Random Access Memory）等を備え、複合機能システム１における複合装置としての基本プログラムや後述する操作表示制御処理プログラム及びこれらのプログラムを実行するのに必要な各種データやシステムデータ等を記憶するとともに、これらの各プログラムを実行する際のワークメモリとしても利用される。
【００２６】
システム制御部７は、システムメモリ４内のプログラムに基づいて、複合機能システム１における複合装置の各部を制御して、複合機能システム１における複合装置としての基本処理を実行するとともに、後述する操作表示制御処理を実行する。
【００２７】
読取部２は、例えば、ＣＣＤ(Charge Coupled Device）を利用したラインイメージセンサ等が用いられており、一般にＡＤＦを備えている。ＡＤＦには、複数枚の原稿がセットされ、ＡＤＦは、セットされた原稿を１枚ずつ読取部２の原稿読取位置に送給する。読取部２は、ＡＤＦから搬送されてきた原稿を走査し、原稿の画像を所定の解像度で読み取る。
【００２８】
記録部６は、例えば、電子写真式記録装置等が用いられており、受信画像や読取部２で読み取った原稿の画像等を記録紙に記録出力するとともに、必要な各種レポート等を記録紙に記録出力する。
【００２９】
符号化・復号化部３は、画情報メモリ８への画情報の蓄積の効率化及び画情報の送信時間の短縮化と効率化を図るものであり、送信時には画情報を所定の符号化方式により符号化し、また、受信時には符号化された画情報を復号化する。
【００３０】
画情報メモリ８は、大容量のハードディスク装置あるいはＲＡＭ等の読み／書き可能なメモリで構成され、主に送信用の画情報や受信した画情報を蓄積する。画情報メモリ８内の画情報は、システム制御部７により管理され、所定時期に読み出されて、送信処理や記録部６による記録紙への記録処理等が行われる。
【００３１】
操作部５は、最小限度必要なキー、例えば、プログラムキーのみ設けられており、このプログラムキーの機能は、後述するコンピュータ（情報端末）から割り付けられて設定される。また、操作部５には、操作内容や複合機能システム１からオペレータに通知する情報を表示するための表示部が設けられていない。
【００３２】
通信制御部９は、システム制御部７の制御下で動作して、回線からの発呼に対して自動着呼し、また、回線への自動発呼処理を行うとともに、回線を介して接続された相手先ファクシミリ装置との間でファクシミリ制御信号の交換を行って、ファクシミリ通信手順を実行する。
【００３３】
モデム１０は、システム制御部７の制御下で動作して、送信時、送信信号を回線の伝達に適した形態に変調し、また、受信時、回線から送られてきた変調信号を復調する。
【００３４】
ＤＴＭＦ検出部１１は、回線を介して相手先から送信されてくるＤＴＭＦ（Dual Tone Multifrequency)信号を検出し、検出したＤＴＭＦ信号を通信制御部９を介してシステム制御部７に出力する。
【００３５】
情報端末Ｉ／Ｆ１２には、ネットワーク（例えば、ＬＡＮ（Local Area Network）等）あるいは所定のケーブル、例えば、双方向セントロニクスケーブルが接続され、この通信回線としてのネットワークあるいはケーブルには、図示しないパーソナルコンピュータ等の情報端末が接続されている。情報端末Ｉ／Ｆ１２は、システム制御部７の制御下で、情報端末との間でコマンドを交換して制御コマンド及びデータやプログラムの授受等を行う。
【００３６】
そして、情報端末Ｉ／Ｆ１２を介して接続される情報端末は、パーソナルコンピュータ等が用いられ、本体部、ディスプレイ（表示手段）及びマウスやキーボード等の入力装置を備えている。情報端末は、複合機能システム１における複合装置に対する操作指示手段として機能する操作表示部を備えるとともに、複合機能システム１における複合装置の操作部５のプログラムキーに割り付けるプログラムを設定してシステム制御部７に登録する操作表示プログラムを搭載している。情報端末は、この操作表示プログラムに基づいて、例えば、図２に示すような複合機能システム１における複合装置に対する操作表示部となる操作表示画面２０を表示する。この操作表示画面２０には、図２では、テンキー２１、各種動作の開始を指示するスタートキー２２、動作の停止を指示するストップキー２３、入力内容の解除を指示するリセットキー２４、動作モードとしてコピーモードを指示するコピーキー（ＣＯＰＹ）２５、動作モードとしてプリンタモードを指示するプリンターキー２６、動作モードとしてファクシミリモードを指示するファックスキー（ＦＡＸ）２７、動作モードとしてプログラムモードを指示するプログラムキー２８、操作の戻りを指示する戻りキー２９、操作の確定を指示するＯＫキー３０、コピー濃度等を示す濃度表示部３１、用紙選択を指示する用紙選択キー３２、原稿種別を選択する原稿種別キー３３及びファンクションキー３４等の各種操作キーを表示しているとともに、表示部３５を表示している。この表示部３５には、通常の複合機能システム１における複合装置に対する操作表示部と同様に、操作表示画面２０に表示されている操作キーの操作内容や複合機能システム１からオペレータに通知する各種情報、例えば、複合機能システム１における複合装置の動作状態情報等が表示されるとともに、特に、複合機能システム１における複合装置の操作部５のプログラムキーへ割り付けたプログラムの内容やプログラムリストを表示する。
【００３７】
また、情報端末は、記録媒体、例えば、ＳＤカード、スマートメディア等のメモリカードの記録媒体ドライバ（読取手段）を備え、当該記録媒体ドライバに挿入された記録媒体へのデータの書き込み及び当該記録媒体からのデータの読み出しを行う機能を備えている。
【００３８】
次に、本実施例の作用を説明する。本実施例の複合機能システム１における複合装置において、操作部５には、所定数のプログラムキーのみが設けられ、複合機能システム１における複合装置を操作するのに必要な各種操作キー及び表示部３５は、情報端末のディスプレイに操作表示画面２０として表示されるとともに、操作部５のプログラムキーに割り付けられるプログラム内容が、情報端末で設定される。
【００３９】
すなわち、複合機能システム１における複合装置は、情報端末Ｉ／Ｆ１２を備え、この情報端末Ｉ／Ｆ１２及び情報端末Ｉ／Ｆ１２に接続されたネットワークまたはケーブルを介してパーソナルコンピュータ等の情報端末が接続されている。そして、複合機能システム１における複合装置の操作部５には、所定数、例えば、５個のプログラムキーのみが設けられており、他の操作キー（ハードキー）や表示部は設けられていない。
【００４０】
情報端末は、そのディスプレイに、図２に示したような複合機能システム１における複合装置の機能を実現するとともに、複合機能システム１における複合装置の操作部５のプログラムキーにプログラムを割り付けるのに必要なキーとしての各種操作キー２１〜３４及び表示部３５からなる操作表示画面２０を表示する。
【００４１】
そして、情報端末では、この操作表示画面２０の操作キー２１〜３４をマウスやキーボード等で操作することで、複合機能システム１における複合装置の動作を指示操作することができるとともに、複合装置の操作部５のプログラムキーへのプログラムの設定を行うことができる。
【００４２】
このプログラムキーへ割り付けるプログラムとしては、操作部５にプログラムキーが５個設けられているものとすると、例えば、図３に示すように、ナンバー１（Ｎｏ．１）〜ナンバー５（Ｎｏ．５）までの５個のプログラムキーに対して、通常コピー機能及びその実行機能、２ｉｎ１の集約機能、ステープル機能、ソート機能及びＡ４の用紙サイズ選択機能が割り付けられる。すなわち、ナンバー１（Ｎｏ．１）は、実行指示を含むプログラムキーである、ナンバー２（Ｎｏ．２）〜ナンバー５（Ｎｏ．５）は、実行指示を含まないプログラムキーである。
【００４３】
そして、情報端末は、操作表示画面２０を利用して上述のようなプログラムをプログラムキーに割り付けると、当該プログラムを、図４に示すようなフォーマットに従ったプログラムリストとして構築して、内部メモリに格納し、また、このプログラムリストをネットワークまたはケーブルを介して複合機能システム１における複合装置に送信する。
【００４４】
複合機能システム１における複合装置は、情報端末から送信されてきたプログラムリストを情報端末Ｉ／Ｆ１２を介して取得し、システム制御部７がシステムメモリ４内に登録するとともに、操作部５のプログラムキーの機能として、当該プログラムリストに基づいて割り付ける。
【００４５】
複合機能システム１における複合装置は、プログラムキーの機能を割り付けると、以降、プログラムキーが操作されると、当該操作されたプログラムキーの機能に応じて動作内容を決定して、決定した動作内容を実行する。
【００４６】
例えば、図３に示したように各プログラムキーに機能が割り付けられているものとすると、Ｎｏ．２のプログラムキーが押下された後、Ｎｏ．１のプログラムキーが押下されると、２ｉｎ１の集約コピーの実行として認識して、２ｉｎ１の集約コピーを実行する。また、Ｎｏ．４のプログラムキー、Ｎｏ．３のプログラムキー及びＮｏ．１のプログラムキーが順次押下されると、ソートにステープル処理を付加したコピーの実行として認識して、ソートコピーを行ってステープルを追加処理する処理を実行する。
【００４７】
そして、情報端末は、上記プログラムリストを作成すると、当該プログラムリストを、情報端末の記録媒体ドライバに挿入されたメモリカード等の記録媒体に書き込んで、割り付けたプログラムリストを保存する。
【００４８】
また、情報端末は、記録媒体ドライバにプログラムリストの書き込まれたメモリカード等の記録媒体が挿入されて、読み出しが指示操作されると、当該記録媒体からプログラムリストを読み出して、ディスプレイに表示し、また、複合機能システム１における複合装置への設定が指示されると、当該プログラムリストをネットワークまたはケーブルを介して複合機能システム１における複合装置に送信する。
【００４９】
複合機能システム１における複合装置は、上述のように、当該情報端末から送信されてきたプログラムリストを情報端末Ｉ／Ｆ１２を介して取得し、システム制御部７がシステムメモリ４内に登録するとともに、操作部５のプログラムキーの機能として、当該プログラムリストに基づいて割り付ける。
【００５０】
さらに、複合機能システム１における複合装置は、メモリカード等の記録媒体のドライバ（読取手段）を備え、当該ドライバにプログラムリストの記録された記録媒体が挿入されると、当該記録媒体からプログラムリストを読み取って、当該プログラムリストに基づいて、操作部５の各プログラムキーの機能を割り付ける。
【００５１】
このように、本実施例の複合機能システム１は、少なくともファクシミリ機能、プリント機能、及び複写機能を含む複数の機能を有するとともに、各機能を操作して実行するための操作部５を備えた複合装置と、操作指示手段としての操作表示部を備えた情報端末とが所定の通信回線であるネットワークあるいはケーブルを介して接続される構成において、複合装置の操作部５がキー機能としてプログラム設定される複数のプログラムキーのみを備え、情報端末における操作表示部が各プログラムキーによる操作以外の操作で各種設定操作を行う必要のある操作キーと各種情報を表示するための表示部とを、操作部５に対する各プログラムキーに割り付けるプログラムを設定して登録するための操作表示プログラムに基づいて操作表示画面２０として表示するとともに、ディスプレイの操作表示画面２０を見ながらのその操作表示画面２０上における操作キー２１〜３４のキー操作により、システム動作を指示して機能実行する。
【００５２】
したがって、操作部５を、表示部、ハードキーというコストの高い部品を省いたものとすることができるとともに、ユーザが頻繁に使用する機能のみを割り当てたプログラムキーのみを設けて簡単で良好な操作性を有したものとすることができ、安価に利用性を向上させることができる。
【００５３】
また、本実施例の複合機能システム１の複合装置における操作部５は、複数のプログラムキーとして、実行指示を含むプログラムキーと実行指示を含まないプログラムキーとを有すると共に、所定数の当該実行指示を含まないプログラムキーが組み合わされて機能指示され、最後に当該実行指示を含むプログラムキーが操作されると、当該実行指示を含まないプログラムキーと当該実行指示を含むプログラムキーとを全て連携して組み合わせた機能の実行を開始できる。
【００５４】
したがって、ハードキーであるプログラムキーの数を極限まで削減しつつ、より多くの機能を実現することができ、操作部５をより一層簡単で良好な操作性を有したものとして、安価により一層利用性を向上させることができる。
【００５５】
さらに、本実施例の複合機能システム１は、情報端末により、プログラムキーの機能の設定／解除が行われ、複合装置の操作部５に対して情報端末から設定／解除されたプログラムキーの機能がプログラムリストとして構築されて転送されてくると、プログラムリストに基づいてプログラムリストに設定されている機能が複合装置の操作部５の各プログラムキーに割り付けられる。
【００５６】
したがって、プログラムリストで簡単かつ容易にプログラムキーの機能設定を行うことができ、安価により一層利用性を向上させることができる。
【００５７】
また、本実施例の複合機能システム１における複合装置は、記録媒体を読み取る読取手段である記録媒体ドライバにプログラムキーに割り付ける機能がプログラムリストとして記録された記録媒体が挿入されると、読取手段が記録媒体のプログラムリストを読み取る。これにより、複合装置の操作部５にはプログラムリストに基づいてプログラムリストに設定されている機能が各プログラムキーに割り付けられる。
【００５８】
したがって、プログラムキーの機能設定をより一層簡単かつ容易に行うことができ、安価により一層利用性を向上させることができる。
【００５９】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００６０】
コピー機能、ファクシミリ機能、プリンタ機能を含む多くの機能を安価かつ効率的に使用する複合装置を備えた各種多機能システムに適用することができる。
【図面の簡単な説明】
【００６１】
【図１】本発明の一実施例に係る複合機能システムに備えられる複合装置のブロック構成図である。
【図２】図１の複合機能システムに備えられる複合装置に接続される情報端末のディスプレイに表示される操作表示画面の一例を示す図である。
【図３】図１の複合機能システムに備えられる複合装置の操作部に設けられているプログラムキーに割り付けられる機能の一例を示す図である。
【図４】図３のプログラムキーに割り付けられた機能のプログラムリストの一例を示す図である。
【符号の説明】
【００６２】
１  複合機能システム
２  読取部
３  符号化・復号化部
４  システムメモリ
５  操作部
６  記録部
７  システム制御部
８  画情報メモリ（画像メモリ）
９  通信制御部
１０  モデム
１１  ＤＴＭＦ検出部
１２  情報端末Ｉ／Ｆ
１３  バス
２０  操作表示画面
２１  テンキー
２２  スタートキー
２３  ストップキー
２４  リセットキー
２５  コピーキー
２６  プリンターキー
２７  ファックスキー
２８  プログラムキー
２９  戻りキー
３０  ＯＫキー
３１  濃度表示部
３２  用紙選択キー
３３  原稿種別キー
３４  ファンクションキー
３５  表示部
【図１】
0004319899.tif 000002
【図２】
0004319899.tif 000003
【図３】
0004319899.tif 000004
【図４】
0004319899.tif 000005